(57)【要約】　　　（修正有）【課題】従来の洗浄装置に比べて洗浄力の大きな消防用ホース洗浄装置を提供する。【解決手段】互いに平行に延在する複数の回転ブラシを有する第１回転ブラシ列６と、互いに平行に延在し第１回転ブラシ列の複数の回転ブラシに千鳥状に対向する複数の回転ブラシを有し、第１回転ブラシ列に接近離隔可能な第２回転ブラシ列１４と、第１ローラー７と、第１ローラーと平行に延在し第１ローラーに接近離隔可能な第２ローラー１５と、第１回転ブラシ列の複数の回転ブラシと第２回転ブラシ列の複数の回転ブラシと第１ローラーとを回転駆動する駆動装置９，１１と、前記一対の回転ブラシ列の近傍に配設された散水ノズル２４とを備える。【選択図】　図１
2004065836.tif 000002
【特許請求の範囲】
【請求項１】
互いに平行に延在する複数の回転ブラシを有する第１回転ブラシ列と、互いに平行に延在し第１回転ブラシ列の複数の回転ブラシに千鳥状に対向する複数の回転ブラシを有し、第１回転ブラシ列に接近離隔可能な第２回転ブラシ列と、第１ローラーと、第１ローラーと平行に延在し第１ローラーに接近離隔可能な第２ローラーと、第１回転ブラシ列の複数の回転ブラシと第２回転ブラシ列の複数の回転ブラシと第１ローラーとを回転駆動する駆動装置と、前記一対の回転ブラシ列の近傍に配設された散水ノズルとを備えることを特徴とする消防用ホース洗浄装置。
【請求項２】
消防用ホース巻体の内側端部を係止する第１リールと、前記巻体から引き出され前記一対の回転ブラシ列間の隙間と前記一対のローラー間の隙間とに挿通された消防用ホースの端部を係止する第２リールとを備え、第１リールと第２リールとは前記駆動装置により回転駆動され、第１リールと前記駆動装置との間に一方向クラッチが配設され、第２リールと前記駆動装置との間に一方向クラッチが配設されていることを特徴とする請求項１に記載の消防用ホース洗浄装置。
【請求項３】
第２リールと前記駆動装置との間にクラッチが配設されていることを特徴とする請求項２に記載の消防用ホース洗浄装置。
【請求項４】
第１リールは消防用ホースの一端に取り付けられた第１口金の周溝に係合可能な対向する一対の爪を有し、第２リールは消防用ホースの他端に取り付けられた第２口金の外周面に係合可能な対向する一対の爪と第２口金の端面に係合可能な爪とを有することを特徴とする請求項２又は３に記載の消防用ホース洗浄装置。
【請求項５】
回転ブラシは、駆動装置により回転駆動される回転軸と、回転軸に着脱可能に外嵌合して回転軸に係止されるブラシ本体とを有することを特徴とする請求項１乃至４の何れか１項に記載の消防用ホース洗浄装置。
【請求項６】
消防用ホース巻体を遊転可能に収容する篭と、前記巻体から引き出され前記一対の回転ブラシ列間の隙間と前記一対のローラー間の隙間とに挿通された消防用ホースの端部を係止するリールとを備え、リールは前記駆動装置により回転駆動され、更に消防用ホース巻体から引き出された当該巻体の内側端部を検知するセンサーを備えることを特徴とする請求項１に記載の消防用ホース洗浄装置。
【発明の詳細な説明】
【０００１】
【発明の属する技術分野】
本発明は、消防用ホースの洗浄装置に関するものである。
【０００２】
【従来の技術】
互いに平行に延在する複数の回転ブラシを有する第１回転ブラシ列と、互いに平行に延在し第１回転ブラシ列の複数の回転ブラシに正対する複数の回転ブラシを有し、第１回転ブラシ列に接近離隔可能な第２回転ブラシ列と、第１ローラーと、第１ローラーと平行に延在し第１ローラーに接近離隔可能な第２ローラーと、第１回転ブラシ列の複数の回転ブラシと第２回転ブラシ列の複数の回転ブラシと第１ローラーとを回転駆動する駆動装置と、前記一対の回転ブラシ列の近傍に配設された散水ノズルとを備えることを特徴とする消防用ホース洗浄装置が、特開平３−１３９３６７号公報等に開示されている。
上記装置により、消防用ホースの洗浄作業が効率化される。
【０００３】
【発明が解決しようとする課題】
従来の消防用ホース洗浄装置には、正対する回転ブラシ間に消防用ホースが直線状に挿通されるので、消防用ホースと回転ブラシ植毛との接触面積が少なく、十分な洗浄力が得られないという問題がある。
本発明は上記問題に鑑みてなされたものであり、従来の洗浄装置に比べて洗浄力の大きな消防用ホース洗浄装置を提供することを目的とする。
【０００４】
【課題を解決するための手段】
上記課題を解決するために、本発明においては、互いに平行に延在する複数の回転ブラシを有する第１回転ブラシ列と、互いに平行に延在し第１回転ブラシ列の複数の回転ブラシに千鳥状に対向する複数の回転ブラシを有し、第１回転ブラシ列に接近離隔可能な第２回転ブラシ列と、第１ローラーと、第１ローラーと平行に延在し第１ローラーに接近離隔可能な第２ローラーと、第１回転ブラシ列の複数の回転ブラシと第２回転ブラシ列の複数の回転ブラシと第１ローラーとを回転駆動する駆動装置と、前記一対の回転ブラシ列の近傍に配設された散水ノズルとを備えることを特徴とする消防用ホース洗浄装置を提供する。
本発明に係る消防用ホース洗浄装置においては、消防用ホースは、第１回転ブラシ列の複数の回転ブラシと、前記複数の回転ブラシに千鳥状に対向する第２回転ブラシ列の複数の回転ブラシとの間に、蛇行して挿通されるので、消防用ホースと回転ブラシ植毛との接触面積が従来の消防用ホース洗浄装置に比べて大きい。従って、本発明に係る消防用ホース洗浄装置は、従来の洗浄装置に比べて洗浄力が大きい。
【０００５】
本発明の好ましい態様においては、消防用ホース洗浄装置は、消防用ホース巻体の内側端部を係止する第１リールと、前記巻体から引き出され前記一対の回転ブラシ列間の隙間と前記一対のローラー間の隙間とに挿通された消防用ホースの外側端部を係止する第２リールとを備え、第１リールと第２リールとは前記駆動装置により回転駆動され、第１リールと前記駆動装置との間に一方向クラッチが配設され、第２リールと前記駆動装置との間に一方向クラッチが配設されている。第１リールに係止した消防用ホース巻体から引き出した消防用ホースを第２リールに巻き取りながら洗浄するので、洗浄済の消防用ホースを一時的に収容するための広いスペースを要さない。洗浄完了後に、第２リールに巻き取られた消防用ホースが第１リールに巻き戻されて、洗浄済の消防用ホース巻体が自動的に形成されるので、洗浄後の消防用ホース巻き戻し作業を要さない。
一方向クラッチが配設されているので、第１リールと第２リールとは、それぞれ消防用ホースを巻き取る際には駆動装置と係合するが、消防用ホースが引き出される際には駆動装置と係合せず空回りする。従って、第１リールから第２リールへの消防用ホースの巻き取りと、第２リールから第１リールへの消防用ホースの巻き戻しとは、それぞれ支障無く行われる。
【０００６】
本発明の好ましい態様においては、第２リールと前記駆動装置との間にクラッチが配設されている。
消防用ホースを第２リールに巻き取りながら洗浄する際に、第２リールに巻き取られた消防用ホースの量が増加し、第２リールの慣性モーメントが増加すると、第２リールと前記駆動装置との間に配設されたクラッチが滑り、第２リールの回転速度が低下する。この結果、第１回転ブラシ列と第２回転ブラシ列との間を通過する消防用ホースの移動速度が、ホース洗浄作業中一定値に維持され、洗浄むらの発生が防止される。
【０００７】
本発明の好ましい態様においては、第１リールは消防用ホースの一端に取り付けられた第１口金の周溝に係合可能な対向する一対の爪を有し、第２リールは消防用ホースの他端に取り付けられた第２口金の外周面に係合可能な対向する一対の爪と第２口金の端面に係合可能な爪とを有する。
消防用ホースの一端には消防車の加圧水吐出口に係合可能な第１口金が取り付けられ、他端には放水ノズルに係合可能な第２口金が取り付けられている。第１の消防用ホースの第２口金に第２の消防用ホースの第１口金を係合させて、消防用ホースを延長することも可能である。第１口金の外面には消防車の加圧水吐出口内面に形成された突起と第２口金の内面に形成された突起とに係合可能な周溝が形成されている。第１口金を保護する観点から、第１口金の回りに消防用ホースを巻き付けて、消防用ホース巻体が形成される。消防用ホース巻体は、消防車に積載されて消化現場まで搬送され、現場で解かれて消防車の加圧水吐水口に接続される。
第１口金の周溝を第１リールの一対の爪に係合させて消防ホース巻体を第１リールに容易に係止することができる。消防用ホース巻体から引き出した第２口金の周面を第２リールの一対の爪に係合させ、端面を第２リールの第３の爪に係合させて、第２口金を第２リールに容易に係止することができる。
【０００８】
本発明の好ましい態様においては、回転ブラシは、駆動装置により回転駆動される回転軸と、回転軸に着脱可能に外嵌合して回転軸に係止されるブラシ本体とを有する。
駆動装置により回転駆動される回転軸と、回転軸に着脱可能に外嵌合して回転軸に係止されるブラシ本体とにより回転ブラシを構成すれば、回転ブラシの交換作業が容易になる。
【０００９】
本発明の好ましい態様においては、消防用ホース洗浄装置は、消防用ホース巻体を遊転可能に収容する篭と、前記巻体から引き出され前記一対の回転ブラシ列間の隙間と前記一対のローラー間の隙間とに挿通された消防用ホースの端部を係止するリールとを備え、リールは前記駆動装置により回転駆動され、更に消防用ホース巻体から引き出された当該巻体の内側端部を検知するセンサーを備える。
センサーの配設により、消防用ホースの洗浄終了を正確に検知し、適正なタイミングで駆動装置を停止させることができる。
【００１０】
【発明の実施の形態】
本発明の実施例に係る消防用ホース洗浄装置を説明する。
図１〜４に示すように、消防用ホース洗浄装置は、平断面が長方形の有底筒状の外ケース１を備えている。外ケース１の下部に、前壁の横幅全域と側壁の前部と中部とに亘って延在する所定幅の切欠１ａが形成され、切欠１ａに対峙して後壁の両側部を除く略全域に亘って所定幅の開口１ｂが形成されている。外ケース１の下部は内側ドレンパン１ｃを形成している。
互いに所定間隔を隔てて平行に且つ水平に延在する５本の軸部材２が、外ケース１の、切欠１ａよも下方の前壁と、開口１ｂよりも下方の後壁とに掛け渡されている。軸部材２が挿通される穴が、外ケース１の前壁と後壁とに形成されている。軸部材２の前端は、外ケース１の前壁に形成された穴を覆って当該前壁の外面に着脱可能に取り付けられた軸受３により回転可能に支持されている。軸部材２の後端は、外ケース１の後壁に形成された穴を覆って当該後壁の外面に固定された軸受により回転可能に支持されている。
図５に示すように、４本の互いに隣接する軸部材２の外ケース１内で延在する部分に、植物、動物、合成樹脂等の繊維４ａが筒体４ｂの外面に密に植毛されたブラシ本体４が、着脱可能に外嵌合係止されている。軸部材２とブラシ本体４とにより、回転ブラシ５が構成されている。４本の回転ブラシ５により、下側回転ブラシ列６が形成されている。
下側回転ブラシ列６に隣接する軸部材２の外ケース１内で延在する部分に、スポンジが筒体外面に接着固定された脱水体が着脱可能に外嵌合係止されている。前記軸部材と脱水体とにより下側脱水ローラー７が形成されている。
図２に示すように、５本の軸部材２の外ケース１後壁から突出する後端部は、複数の無端チェーンと複数のスプロケットにより構成される動力伝達機構８を介して、外ケース１に固定されたモーター９に作動係合している。
【００１１】
図１〜４に示すように、平断面が長方形の偏平筒状の内ケース１０が、上下方向にのみ摺動可能に、外ケース１に嵌入している。
互いに所定間隔を隔てて平行に且つ水平に延在する４本の軸部材１１が、内ケース１０の前壁と後壁とに掛け渡されている。軸部材１１が挿通される穴が、内ケース１０の前壁と後下部とに形成されている。軸部材１１の前端は、内ケース１０の前壁に形成された穴を覆って当該前壁の外面に着脱可能に取り付けられた軸受１２により回転可能に支持されている。軸部材１１の後端は、内ケース１０の後壁に形成された穴を覆って当該後壁の外面に固定された軸受により回転可能に支持されている。内ケース１２の前壁に取り付けられた軸受１２は外ケース１の切欠１ａを介して外ケース１の前方へ突出し、内ケース１２の後壁に固定された軸受は外ケースの開口１ｂを介して外ケース１の後方へ突出している。
図５に示すように、３本の互いに隣接する軸部材１１の内ケース１０内で延在する部分に、植物、動物、合成樹脂等の繊維１２ａが筒体１２ｂの外面に密に植毛されたブラシ本体１２が、着脱可能に外嵌合係止されている。軸部材１１とブラシ本体１２とにより、回転ブラシ１３が構成されている。３本の回転ブラシ１３により、上側回転ブラシ列１４が形成されている。上側回転ブラシ列１４の回転ブラシ１３は、下側回転ブラシ列６の回転ブラシ５に、千鳥状に対向している。上側回転ブラシ列１３に隣接する軸部材１１の内ケース１０内で延在する部分に、スポンジが筒体外面に接着固定された脱水体が着脱可能に外嵌合係止されている。前記軸部材１１と脱水体とにより上側脱水ローラー１５が形成されている。上側脱水ローラー１５は下側脱水ローラー７に正対している。
図２に示すように、上側回転ブラシ列１３を構成する３本の軸部材１１の内ケース１０後壁から突出する後端部は、動力伝達機構８を介して、モーター９に作動係合している。内ケース１０が後述するように退避位置と稼動位置との間で上下に移動しても、動力伝達機構８を介する軸部材１１とモーター９との作動係合が維持されるように、動力伝達機構８は構成されている。
【００１２】
軸部材１６が、外ケース１の左右側壁に掛け渡されている。軸部材１６は、外ケース１の左右側壁によって、中心軸線回りに回転可能に支持されている。軸部材１６の一端に操作レバー１７が固定されている。軸部材１６は、リンク機構１８を介して内ケース１０に作動係合している。操作レバー１７が図３で一点鎖線で示す第１位置に在る時、内ケース１０はリンク機構１８を介して図１、３、４で一点鎖線で示す上方の退避位置へ引き上げられている。操作レバー１７が図３で実線で示す第２位置に在る時、内ケース１０はリンク機構１８を介して図１〜４で実線と破線とで示す下方の稼動位置へ押し下げられている。
【００１３】
図１、２に示すように、上下の回転ブラシ列６、１４に近接する側の外ケース１側方に、第１リール１９が配設されている。第１リール１９は、図示しないクラッチと、一方向クラッチと、動力伝達機構８とを介して、モーター９に作動係合している。図６に示すように、一対の対向する爪２０が、第１ール１９の中心部に固定されている。
図１、２に示すように、上下の脱水ローラー７、１５に近接する側の外ケース１側方に、第２リール２１が配設されている。第２リール２１は、図示しないクラッチと、一方向クラッチと、動力伝達機構８とを介して、モーター９に作動係合している。図７に示すように、一対の対向する爪２２と、爪２２の側方に配設された爪２３とが、第２リール２１の中心部に固定されている。
【００１４】
図１、２に示すように、複数の散水ノズル２４が、外ケース１内に且つ内ケース１０の上方に配設されている。散水ノズル２４は、外ケース１の側壁に取り付けられた止水弁２５に、図示しない配管を介して接続されている。止水弁２５は、外ケース１の側壁に取り付けられた配管２６と、配管２６に接続される図示しないホースとを介して、図示しない水道水栓に接続可能である。止水弁２５は、無端チェーン２７を介して、軸部材１６の端部に作動係合している。
【００１５】
図１、２に示すように、上下の回転ブラシ列に近接する側の外ケース１側面に一対の案内ローラー２８が取り付けられている。上下の脱水ローラーに近接する側の外ケース１側面に案内ローラー２９が取り付けられている。
図１、２に示すように、外ケース１、第１リール１９、第２リール２１は、支持台３０上に載置固定されている。支持台３０は、外側ドレンパン３１内に配設され、外側ドレンパン３１に固定されている。
外側ドレンパン３１を支持する４本の支持脚３２の下端に、キャスター３３が取り付けられている。
【００１６】
上記構成を有する消防用ホース洗浄装置の作動を説明する。
洗浄開始前には、操作レバー１７は、図３で一点鎖線で示す第１位置に在り、内ケース１０は、図１、３、４で一点鎖線で示す上方の退避位置にある。上側回転ブラシ列１４と上側脱水ローラー１５とは、下側回転ブラシ例６と下側脱水ローラー７とから上方に離隔している。操作レバー１７は、図示しない係止具により、第２位置に保持されている。モーター９は停止しており、止水弁２５は閉じている。
洗浄装置使用者は、消防用ホース洗浄装置を所望の場所へ移動させ、図示しないホースを介して配管２６と図示しない水道水栓とを接続する。図示しない電源コードを図示しないコンセントに接続する。脚部３２の下端にキャスター３３が取り付けられているので、消防用ホース洗浄装置を容易に移動させることができる。
【００１７】
図８に示すように、消防用ホース１００の一端には図示しない消防車の加圧水吐出口に係合可能な第１口金１０１が取り付けられ、他端には図示しない放水ノズルに係合可能な第２口金１０２が取り付けられている。第１の消防用ホース１００の第２口金１０２に第２の消防用ホース１００の第１口金１０１を係合させて、消防用ホース１００を延長することも可能である。第１口金１０１の外面には消防車の加圧水吐出口内面に形成された図示しない突起と、第２口金１０２の内面に形成された図示しない突起とに係合可能な周溝１０１ａが形成されている。第１口金１０１を保護する観点から、第１口金１０１の回りに消防用ホース１００を巻き付けて、消防用ホース巻体１０３が形成される。消防用ホース巻体１０３は、消防車に積載されて消化現場まで搬送され、現場で解かれて消防車の加圧水吐水口に接続される。使用後の消防用ホース１００は、消化現場で巻き戻され、消防用ホース巻体１０３にされて、消防車に積載される。
洗浄装置使用者は、第１口金１０１の周溝１０１ａを第１リール１９の一対の爪２０に係合させて、消防ホース巻体１０３を第１リール１９に係止する。洗浄装置使用者は、図１で一点鎖線の矢印で示すように、消防用ホース巻体１０３から引き出した消防用ホース１００を、上下一対の案内ローラー２８間の隙間と、下側回転ブラシ列６と上側回転ブラシ列１４との間の隙間と、下側脱水ローラー７と上側脱水ローラー１５との間の隙間とに挿通し、案内ローラー２９の下面に係合させて、第２リール２１へ導き、第２口金１０２の周面を第２リール２１の一対の爪２２に係合させ、第２口金１０２の端面を第２リール２１の爪２３に係合させて、第２口金１０２を第２リール２１に係止する。
第１口金１０１の周溝１０１ａを第１リール１９の一対の爪２０に係合させることにより、消防ホース巻体１０３を第１リール１９に容易に係止することができる。第２口金１０２の周面を第２リール２１の一対の爪２２に係合させ、第２口金１０２の端面を第２リール２１の爪２３に係合させることにより、第２口金１０２を第２リール２１に容易に係止することができる。この結果、消防用ホース洗浄作業の効率が向上する。
【００１８】
洗浄装置使用者は、操作レバー１７と図示しない係止具との係合を解除し、操作レバー１７を図３で実線で示す第２位置へ回動させる。軸部材１６が回転し、リンク機構１８を介して、内ケース１０が図１、３、４で一点鎖線で示す上方の退避位置から、図１〜４で実線と破線とで示す下方の稼動位置へ下降する。この結果、上側回転ブラシ列１４が下側回転ブラシ列６に接近し、消防用ホース１００は上下の回転ブラシ列に挟まれて蛇行する。上側脱水ローラー１５が下側脱水ローラー７に接近し、消防用ホース１００は上下の脱水ローラーに挟まれる。
内ケース１０が稼動位置に達した後、洗浄装置使用者が図示しない始動スイッチをＯＮすると、モーター９が始動する。
動力伝達機構８と図示しない一方向クラッチと、図示しないクラッチとを介して第２リール２１が図１で時計方向へ回転駆動される。図示しない一方向クラッチにより、モーター９から第１リール１９への動力伝達は遮断されており、第１リール１９は空回り可能な状態にある。第１リール１９に係止された消防用ホース巻体１０３から引き出された消防用ホース１００が、第２リール２１に巻き取られる。
【００１９】
動力伝達機構８を介して、下側回転ブラシ列６の回転ブラシ５と、下側脱水ローラー７と、上側回転ブラシ列１４の回転ブラシ１３とが回転する。回転ブラシ５と、回転ブラシ１３とは、消防用ホース１００の移動方向とは逆方向へ回転する。下側脱水ローラー７は、消防用ホース１００の移動方向と同一方向へ回転する。
内ケース１０が下方の稼動位置へ向けて移動開始するのに同期して、無端チェーン２７を介して止水弁２５が回転駆動されて開弁する。図示しない水道水栓から図示しないホースを介して配管２６へ流入した水道水が、止水弁２５と図示しない配管とを介して散水ノズル２４から噴出する。噴出した水道水はシャワーとなって上側回転ブラシ列１４に降り注ぎ、上側回転ブラシ列１４と下側回転ブラシ列６とを通過して、内側ドレンパン１ｃに溜まる。下側回転ブラシ列６の回転ブラシ５の下部が内側ドレンパン１ｃに溜まった水に浸漬される。
下側回転ブラシ列６と上側回転ブラシ列１４とに挟まれて蛇行しつつ移動する消防用ホース１００の上面が、水を含み回転する上側回転ブラシ列１４の回転ブラシ１３によって洗浄される。移動する消防用ホース１００の下面が、水を含み回転する下側回転ブラシ列６の回転ブラシ５によって洗浄される。
洗浄された消防用ホース１００は、下側脱水ローラー７と上側脱水ローラー１５との間を通過し、両者から高い面圧を受けて脱水される。上側脱水ローラー１５は移動する消防用ホース１００からの摩擦力を受けて、従動回転する。
内側ドレンパン１ｃの水位が所定値を越えると、内ケース１０の前壁に形成された図示しない排水穴を介して、内側ドレンパン１ｃ内の溜水が外側ドレンパン３０に排出される。外側ドレンパン３０に溜まった水は、外側ドレンパン３０の底壁に形成された図示しない排出穴と当該排出穴に接続された図示しない排水ホースとを介して、消防用ホース洗浄装置が設置された場所の図示しない排水溝へ排出される。
【００２０】
千鳥状に対向する下側回転ブラシ列６の回転ブラシ５と上側回転ブラシ列１４の回転ブラシ１３とに挟まれて消防用ホース１００が蛇行するので、上下の回転ブラシが正対する従来の消防用ホース洗浄装置に比べて、消防用ホース１００と回転ブラシ５、１３との接触面積は広い。従って、消防用ホース１００は、従来の消防用ホース洗浄装置で洗浄した場合に比べて強力に洗浄される。
回転ブラシ５、１３は、消防用ホース１００の移動方向と逆方向に回転するので、回転ブラシ５、１３の繊維４ａ、１２ａと消防用ホース１００の相対速度は大きい。従って、回転ブラシ５、１３により、消防用ホース１００は強力に洗浄される。
第２リール２１に巻き取られた消防用ホース１００の量が増加し、第２リール２１の慣性モーメントが増加すると、第２リール２１と動力伝達機構８との間に配設された図示しないクラッチが滑り、第２リール２１の回転速度が低下する。この結果、下側回転ブラシ列６と上側回転ブラシ列１４との間を通過する消防用ホース１００の移動速度が、ホース洗浄作業中一定値に維持され、洗浄むらの発生が防止される。
第１リール１９に係止した消防用ホース巻体１０３から引き出した消防用ホース１００を第２リール２１に巻き取りながら洗浄するので、洗浄済の消防用ホース１００を一時的に収容するための広いスペースを要さない。従って、狭い場所でも消防用ホース洗浄作業を行うことができる。
【００２１】
消防用ホース巻体１０３を形成していた消防用ホース１００の全てが消防用ホース巻体１０３から引き出され、第２リール２１に巻き取られて第２リール２１に係止された消防用ホース巻体が形成されると、図示しないタイマーの作動によりモーター９が停止して第２リール２１が停止し、回転ブラシ５、１３、脱水ローラー７が停止する。作動洗浄装置使用者は、操作レバー１７を図３で実線で示す第２位置から、図３で一点鎖線で示す第１位置へ戻す。図内ケース１０が図１〜４で実線と破線とで示す稼動位置から、図１、３、４で一点鎖線で示す退避位置へ移動し、止水弁２５が閉じ散水ノズル２４からの散水が停止する。内ケース１０が稼動位置から退避位置へ移動する際に、当該移動の際にのみ始動スイッチに作動係合する図示しない係合部材により始動スイッチがＯＦＦされる。
洗浄装置使用者は図示しない逆転スイッチをＯＮして、モーター９を逆転させる。動力伝達機構８と図示しない一方向クラッチと、図示しないクラッチとを介して第１リール１９が図１で反時計方向へ回転駆動される。図示しない一方向クラッチにより、モーター９から第２リール２１への動力伝達は遮断されており、第２リール２１は空回り可能な状態にある。第２リール２１に係止された消防用ホース巻体から引き出された消防用ホース１００が、第１リール１９に巻き戻されて、消防用ホース巻体１０３が形成される。
【００２２】
第１リール１９に巻き取られた消防用ホース１００の量が増加し、第１リール１９の慣性モーメントが増加すると、第１リール１９と動力伝達機構８との間に配設された図示しないクラッチが滑り、第１リール１９の回転速度が低下する。この結果、下側回転ブラシ列６と上側回転ブラシ列１４との間を通過する消防用ホース１００の移動速度が、ホース巻き戻し作業中一定値に維持され、ホース巻き戻し作業が安定化される。
洗浄完了後に、第２リール２１に巻き取られた消防用ホース１００が第１リール１９に巻き戻されて、洗浄済の消防用ホース巻体１０３が自動的に形成されるので、洗浄後の手動による消防用ホース巻き戻し作業を要さない。この結果、洗浄後の後処理の手間が無くなる。
第１リール１９、第２リール２１と動力伝達機構８との間に、それぞれ一方向クラッチが配設されているので、第１リール１９と第２リール２１とは、それぞれ消防用ホース１００を巻き取る際には動力伝達機構と係合するが、消防用ホース１００が引き出される際には動力伝達機構とは係合せず空回りする。従って、第１リール１９から第２リール２１への消防用ホース１００の巻き取りと、第２リール２１から第１リール１９への消防用ホース１００の巻き戻しとは、それぞれ支障無く行われる。
【００２３】
洗浄装置使用者は、逆転スイッチをＯＦＦしてモーター９を停止させ、第２口金１０２を第２リール２１から取り外し、洗浄済の消防用ホース巻体１０３を体１リール１９から取り外し、消防用ホース１００の第２口金１０２近傍部を洗浄済の消防用ホース巻体１０３に巻き付け、次いで、消防用ホース巻体１０３を、然るべき保管場所に保管し、或いは消防車に積載する。
【００２４】
軸受３を外ケース１の前壁から取り外し、外ケース１の前壁に形成した穴を介してブラシ本体４を軸部材２から抜き取り、未使用のブラシ本体４を前記穴を介して軸部材２に外嵌合係止させ、軸受３を外ケース１の前壁に装着して軸部材２の前端部に係合させることにより、回転ブラシ５を容易に交換することができる。軸受１２を内ケース１０の前壁から取り外し、内ケース１０の前壁に形成した穴を介してブラシ本体１２を軸部材１１から抜き取り、未使用のブラシ本体１２を前記穴を介して軸部材１１に外嵌合係止させ、軸受１２を内ケース１０の前壁に装着して軸部材１１の前端部に係合させることにより、回転ブラシ１３を容易に交換することができる。
【００２５】
内ケース１０を稼動位置に保持したまま、第２リール２１に巻き取られた消防用ホース１００を第１リール１９に巻き戻し、巻き戻し時にも、消防用ホース１００を洗浄するように、消防用ホース洗浄装置を構成しても良い。消防用ホース１００の激しい汚れを除去することができる。
【００２６】
図９に示すように、第１リール１９に代えて、複数のローラー３４ａを有する側面視半円形の消防用ホース巻体収容篭３４を配設し、案内ローラー２８の近傍に第１口金１０１を検知するセンサー３５を配設し、センサー３５が第１口金１０１を検知するとモーター９が停止するように構成しても良い。
消防用ホース巻体収容篭３４内に遊転可能に置いた消防用ホース巻体１０３を、洗浄しつつ、第２リール２１に巻き取る。消防用ホース巻体１０３から、消防用ホース１００が全て引き出され、最後に第１口金１０１が案内ローラー２８近傍へ移動すると、第１口金１０１がセンサー３５の検知針３５ａに接触し、センサー３５により第１口金１０１が検知される。センサー３５の検知信号によりモーター９が停止する。
センサー３５の配設により、消防用ホースの洗浄終了を正確に検知し、適正なタイミングでモーター９を停止させることができる。
【００２７】
【発明の効果】
以上説明したごとく、本発明に係る消防用ホース洗浄装置においては、消防用ホースは、第１回転ブラシ列の複数の回転ブラシと、前記複数の回転ブラシに千鳥状に対向する第２回転ブラシ列の複数の回転ブラシとの間に、蛇行して挿通されるので、消防用ホースと回転ブラシ植毛との接触面積が従来の消防用ホース洗浄装置に比べて大きい。従って、本発明に係る消防用ホース洗浄装置は、従来の洗浄装置に比べて洗浄力が大きい。
【図面の簡単な説明】
【図１】本発明の実施例に係る消防用ホース洗浄装置の正面図である。
【図２】本発明の実施例に係る消防用ホース洗浄装置の背面図である。
【図３】本発明の実施例に係る消防用ホース洗浄装置が備える外ケースの左側面図である。
【図４】本発明の実施例に係る消防用ホース洗浄装置が備える外ケースの右側面図である。
【図５】本発明の実施例に係る消防用ホース洗浄装置が備える回転ブラシの斜視図である。
【図６】本発明の実施例に係る消防用ホース洗浄装置が備える第１リールの部分拡大斜視図である。
【図７】本発明の実施例に係る消防用ホース洗浄装置が備える第２リールの部分拡大斜視図である。
【図８】消防用ホース巻体の側面図である。
【図９】本発明の他の実施例に係る消防用ホース洗浄装置の正面図である。
【符号の説明】
１　外ケース
５、１３　回転ブラシ
６　下側回転ブラシ列
７　下側脱水ローラー
９　モーター
１０　内ケース
１４　上側回転ブラシ列
１５　上側脱水ローラー
１９　第１リール
２０、２２、２３　爪
２１　第２リール
３４　消防用ホース巻体収容篭
３５　センサー
【図１】
2004065836.tif 000003
【図２】
2004065836.tif 000004
【図３】
2004065836.tif 000005
【図４】
2004065836.tif 000006
【図５】
2004065836.tif 000007
【図６】
2004065836.tif 000008
【図７】
2004065836.tif 000009
【図８】
2004065836.tif 000010
【図９】
2004065836.tif 000011